(57)【要約】【課題】  原子炉水の導電率の上昇を抑止して炉水の水質低下を防止し、ＳＣＣが進展しないようにすること。【解決手段】  本発明の原子力プラントの化学物質注入システムは、上記課題を解決するために、原子力プラントの原子炉水中に化学物質注入システムから配管を介して化学物質を注入する原子力プラントの化学物質注入システムであって、前記化学物質注入システムは、化学物質溶液を供給する化学物質溶液供給系統と、純水を供給する純水供給系統と、前記化学物質溶液供給系統から供給された前記化学物質溶液に前記純水供給装置からの純水を供給して希釈し、かつ、不純物除去装置で前記化学物質溶液から不純物を除去して前記原子炉水中に導く前記配管に注入する化学物質溶液注入系統とを備えていることを特徴とする。【選択図】図２
2014206511.tif 000002
【特許請求の範囲】
【請求項１】
原子力プラントの原子炉水中に化学物質注入システムから配管を介して化学物質を注入する原子力プラントの化学物質注入システムであって、
前記化学物質注入システムは、化学物質溶液を供給する化学物質溶液供給系統と、純水を供給する純水供給系統と、前記化学物質溶液供給系統から供給された前記化学物質溶液に前記純水供給装置からの純水を供給して希釈し、かつ、不純物除去装置で前記化学物質溶液から不純物を除去して前記原子炉水中に導く前記配管に注入する化学物質溶液注入系統とを備えていることを特徴とする原子力プラントの化学物質注入システム。
【請求項２】
請求項１に記載の原子力プラントの化学物質注入システムにおいて、
前記化学物質溶液注入系統は、供給された前記化学物質溶液の化学物質の分散を促進する分散促進装置を、更に備えていることを特徴とする原子力プラントの化学物質注入システム。
【請求項３】
請求項２に記載の原子力プラントの化学物質注入システムにおいて、
前記化学物質溶液注入系統は、前記化学物質溶液供給系統からの化学物質溶液と前記純水供給系統からの純水を受入れる配管を備え、該配管には、上流側から前記不純物除去装置、前記分散促進装置の順に接続されていることを特徴とする原子力プラントの化学物質注入システム。
【請求項４】
請求項１乃至３のいずれか１項に記載の原子力プラントの化学物質注入システムにおいて、
前記不純物除去装置は、前記化学物質溶液中に含有する不純物を選択的に除去することを特徴とする原子力プラントの化学物質注入システム。
【請求項５】
請求項４に記載の原子力プラントの化学物質注入システムにおいて、
前記化学物質溶液中に含有する不純物を選択的に除去する不純物除去装置は、イオン交換樹脂、イオン除去フィルタ、無機吸着体カラムのいずれか１つであることを特徴とする原子力プラントの化学物質注入システム。
【請求項６】
請求項１乃至３のいずれか１項に記載の原子力プラントの化学物質注入システムにおいて、
前記不純物除去装置は、前記化学物質溶液中の白金族系の金属、酸素、水素以外の物質をイオン交換により除去することを特徴とする原子力プラントの化学物質注入システム。
【請求項７】
請求項２又は３に記載の原子力プラントの化学物質注入システムにおいて、
前記分散促進装置は、物理的に配管内外から前記化学物質溶液を撹拌させるか、或いは前記化学物質溶液中で析出した不溶解性化学物質を分散させる機能を有していることを特徴とする原子力プラントの化学物質注入システム。
【請求項８】
請求項７に記載の原子力プラントの化学物質注入システムにおいて、
前記物理的に配管内外から前記化学物質溶液を撹拌させるか、或いは前記化学物質溶液中で析出した不溶解性化学物質を分散させる機能を有している分散促進装置は、マイクロバブル発生装置、配管内分散機、超音波分散機のいずれか１つであることを特徴とする原子力プラントの化学物質注入システム。
【請求項９】
請求項１乃至８のいずれか１項に記載の原子力プラントの化学物質注入システムにおいて、
前記化学物質は、水素酸化に寄与する白金族系の金属からなる物質であることを特徴とする原子力プラントの化学物質注入システム。
【請求項１０】
請求項９に記載の原子力プラントの化学物質注入システムにおいて、
前記水素酸化に寄与する白金族系の金属からなる物質は、白金、パラジウム、ロジウム、オスミウム、ルテニウム及びイリジウムのいずれか１つから成ることを特徴とする原子力プラントの化学物質注入システム。
【請求項１１】
原子力プラントの原子炉水中に化学物質注入システムから配管を介して化学物質を注入する原子力プラントの化学物質注入方法であって、
化学物質溶液供給系統からの化学物質溶液に純水供給系統から純水を供給して希釈し、この希釈された前記化学物質溶液中から化学物質溶液供給系統の不純物除去装置で不純物を除去した後、前記化学物質溶液を前記原子炉水中に導く前記配管に注入することを特徴とする原子力プラントの化学物質注入方法。
【請求項１２】
請求項１１に記載の原子力プラントの化学物質注入方法において、
前記化学物質溶液中から前記不純物除去装置で不純物を除去した後、前記化学物質溶液供給系統中に設置されている分散促進装置で、前記化学物質溶液の化学物質の分散を促進し、その後、前記化学物質溶液を前記原子炉水中に導く前記配管に注入することを特徴とする原子力プラントの化学物質注入方法。
【請求項１３】
請求項１１又は１２に記載の原子力プラントの化学物質注入方法において、
前記不純物除去装置では、前記化学物質溶液中の白金族系の金属、酸素、水素以外の物質をイオン交換により除去することを特徴とする原子力プラントの化学物質注入方法。
【請求項１４】
請求項１２に記載の原子力プラントの化学物質注入方法において、
前記分散促進装置では、物理的に配管内外から前記化学物質溶液を撹拌させるか、或いは前記化学物質溶液中で析出した不溶解性化学物質を分散させることを特徴とする原子力プラントの化学物質注入方法。
【請求項１５】
原子炉格納容器と、該原子炉格納容器内に配置され、核燃料を収納している原子炉圧力容器と、該原子炉圧力容器内の前記核燃料における核分裂反応によって発生した蒸気をタービンに導く主蒸気配管と、前記タービンを通過した蒸気が復水器で冷却されて凝縮され、この凝縮水を加熱器で加熱して再び前記原子炉圧力容器に給水する給水系配管と、該給水系配管に接続され、前記原子炉圧力容器からの原子炉水を導き、該原子炉水中の不純物をろ過装置で除去した後の原子炉水を前記給水系配管に送水する原子炉冷却材浄化系配管と、前記加熱器の下流側の前記給水系配管又は前記給水系配管との接続部直前の前記原子炉冷却材浄化系配管に接続され、かつ、化学物質溶液を供給する化学物質溶液供給系統、純水を供給する純水供給系統、及び前記化学物質溶液供給系統から供給された前記化学物質溶液に前記純水供給装置からの純水を供給して希釈し、かつ、不純物除去装置で前記化学物質溶液から不純物を除去して前記給水系配管又は前記原子炉冷却材浄化系配管に注入する化学物質溶液注入系統からなる化学物質注入システムとを備えていることを特徴とする原子力プラント。
【発明の詳細な説明】
【技術分野】
【０００１】
本発明は原子炉プラントの化学物質注入システム及びその方法並びに原子力プラントに係り、特に、原子力発電プラントの再循環系配管及び炉内構造物等における応力腐食割れ(以下、ＳＣＣ（Ｓｔｒｅｓｓ  Ｃｏｒｒｏｓｉｏｎ  Ｃｒａｃｋｉｎｇ）と略記する)の進展を抑制するために、炉水中へ化学物質を注入するものに好適な原子炉プラントの化学物質注入システム及びその方法並びに原子力プラントに関する。
【背景技術】
【０００２】
一般に、沸騰水型原子力発電プラント(以下、ＢＷＲ（Ｂｏｉｌｉｎｇ  Ｗａｔｅｒ  Ｒｅａｃｔｏｒ）プラントと略記する)の原子炉水中には、水の放射線分解によって発生した酸素と過酸化水素が存在する。この酸素と過酸化水素は、高温環境下では、再循環系配管及び炉内構造物等のＳＣＣ発生の一因となっており、これまでは、上述した再循環系配管及び炉内構造物等の健全性を確保するために、原子炉水中に水素を注入することで、酸素と過酸化水素との水への再結合反応を促進し、酸素と過酸化水素の濃度の低減を図ってきた。
【０００３】
一方、原子炉水中に触媒機能を持つ化学物質（例えば、白金等）を注入すると、触媒機能を持つ化学物質が炉内構造物に付着し、水素と原子炉水中の酸素及び過酸化水素との再結合反応を促進する。そのため、主蒸気線量率を上昇させない程度の水素注入量で、炉内の広い範囲にＳＣＣ進展の抑制効果を得ることが期待できる。
【０００４】
例えば、特許文献１には、原子炉浄化系配管から供給した化学物質を、原子炉構造物に付着させることで構造材の腐食電位を低減させ、ＢＷＲプラントの健全性を向上させる化学物質注入技術が開示されている。
【０００５】
また、特許文献２には、発電炉の通常運転時において、給水システムタップを経由して化学物質溶液を原子炉に供給するように設計された注入システムが開示されている。
【先行技術文献】
【特許文献】
【０００６】
【特許文献１】特開２０００−３２９８９５号公報
【特許文献２】特開２００９−１４５３４８号公報
【発明の概要】
【発明が解決しようとする課題】
【０００７】
しかしながら、特許文献１に記載のＢＷＲプラント運転時に化学物質を注入する技術、又は特許文献２に記載の発電炉の通常運転時に、給水システムタップを経由して化学物質溶液を原子炉に供給する技術では、使用する化学物質溶液中に含有する化学物質と水素及び酸素以外の不純物が、原子炉水内に混入してしまう。
【０００８】
そのため、プラント運転の監視項目である炉水導電率が上昇し、炉水の水質が低下してＳＣＣの進展に寄与してしまうという課題がある。
【０００９】
本発明は上述の点に鑑みなされたもので、その目的とするところは、原子炉水の導電率の上昇を抑止して炉水の水質低下を防止し、ＳＣＣが進展しないようにした原子力プラントの化学物質注入システム及びその方法並びに原子力プラントを提供することにある。
【課題を解決するための手段】
【００１０】
本発明の原子力プラントの化学物質注入システムは、上記目的を達成するために、原子力プラントの原子炉水中に化学物質注入システムから配管を介して化学物質を注入する原子力プラントの化学物質注入システムであって、前記化学物質注入システムは、化学物質溶液を供給する化学物質溶液供給系統と、純水を供給する純水供給系統と、前記化学物質溶液供給系統から供給された前記化学物質溶液に前記純水供給装置からの純水を供給して希釈し、かつ、不純物除去装置で前記化学物質溶液から不純物を除去して前記原子炉水中に導く前記配管に注入する化学物質溶液注入系統とを備えていることを特徴とする。
【００１１】
また、本発明の原子力プラントの化学物質注入方法は、上記目的を達成するために、原子力プラントの原子炉水中に化学物質注入システムから配管を介して化学物質を注入する原子力プラントの化学物質注入方法であって、化学物質溶液供給系統からの化学物質溶液に純水供給系統から純水を供給して希釈し、この希釈された前記化学物質溶液中から化学物質溶液供給系統の不純物除去装置で不純物を除去した後、前記化学物質溶液を前記原子炉水中に導く前記配管に注入することを特徴とする。
【００１２】
また、本発明の原子力プラントは、上記目的を達成するために、原子炉格納容器と、該原子炉格納容器内に配置され、核燃料を収納している原子炉圧力容器と、該原子炉圧力容器内の前記核燃料における核分裂反応によって発生した蒸気をタービンに導く主蒸気配管と、前記タービンを通過した蒸気が復水器で冷却されて凝縮され、この凝縮水を加熱器で加熱して再び前記原子炉圧力容器に給水する給水系配管と、該給水系配管に接続され、前記原子炉圧力容器からの原子炉水を導き、該原子炉水中の不純物をろ過装置で除去した後の原子炉水を前記給水系配管に送水する原子炉冷却材浄化系配管と、前記加熱器の下流側の前記給水系配管又は前記給水系配管との接続部直前の前記原子炉冷却材浄化系配管に接続され、かつ、化学物質溶液を供給する化学物質溶液供給系統、純水を供給する純水供給系統、及び前記化学物質溶液供給系統から供給された前記化学物質溶液に前記純水供給装置からの純水を供給して希釈し、かつ、不純物除去装置で前記化学物質溶液から不純物を除去して前記給水系配管又は前記原子炉冷却材浄化系配管に注入する化学物質溶液注入系統からなる化学物質注入システムとを備えていることを特徴とする。
【発明の効果】
【００１３】
本発明によれば、原子炉水の導電率の上昇を抑止して炉水の水質低下を防止でき、ＳＣＣが進展しない効果があり、原子力プラントに採用する場合には有効である。
【図面の簡単な説明】
【００１４】
【図１】本発明の原子炉プラントの実施例１であるＢＷＲプラントに化学物質注入システムを適用した例を示す構成図である。
【図２】図１の化学物質注入システムの詳細を示す図である。
【図３】本発明の実施例１の原子炉プラントの化学物質注入システムに採用される不純物除去装置における不純物の除去を説明するための概念図である。
【図４】本発明の実施例１の原子炉プラントの化学物質注入システムにおける化学物質溶液の注入作業の流れを示す図である。
【発明を実施するための形態】
【００１５】
以下、図示した実施例に基づいて本発明の原子力プラントの化学物質注入システム及びその方法並びに原子力プラントを説明する。
【実施例１】
【００１６】
図１に、本発明の原子力プラントの実施例１であるＢＷＲプラントの概略構成図を示す。
【００１７】
該図に示す如く、本実施例のＢＷＲプラントは、原子炉格納容器１と、この原子炉格納容器１内に配置され、核燃料を収納している原子炉圧力容器２と、原子炉圧力容器２内の核燃料における核分裂反応によって発生した蒸気をタービン４に導く主蒸気配管３と、タービン４を通過した蒸気が復水器５で冷却されて凝縮されて凝縮水となり、この凝縮水が復水ポンプ６を通過後浄化する復水浄化設備７と、この復水浄化設備７で浄化された凝縮水を加熱する低圧給水加熱器８及び高圧給水加熱器１０と、加熱した凝縮水を給水として給水ポンプ９により再び原子炉圧力容器２に給水する給水系配管１１と、原子炉圧力容器２内の原子炉水を、再循環ポンプ１７によって原子炉圧力容器２内を循環する再循環系配管１６と、原子炉圧力容器２内の原子炉水中の不純物を取り除くために、原子炉圧力容器２の底部に一端が接続され、原子炉水を原子炉冷却材浄化系循環ポンプ１３によって熱交換器１４を介して炉浄化系ろ過脱塩装置１５に給水する第１の原子炉冷却材浄化系１２Ａと、給水系配管１１の高圧給水加熱器１０の下流側に接続され、炉浄化系ろ過脱塩装置１５で不純物が除去された原子炉水を熱交換器１４で加熱して給水系配管１１に給水する第２の原子炉冷却材浄化系１２Ｂと、原子炉圧力容器２内の原子炉水中に化学物質を注入するために、給水系配管１１の高圧給水加熱器１０の下流側に接続されている化学物質注入システム１８とから概略構成されている。
【００１８】
なお、化学物質注入システム１８は、給水系配管１１との接続部直前の第２の原子炉冷却材浄化系配管１２Ｂに接続しても構わない。
【００１９】
次に、上述したＢＷＲプラントにおける動作を説明する。即ち、ＢＷＲプラントでは、原子炉圧力容器２内の核燃料における核分裂反応によって原子炉水が加熱され、蒸気が発生する。この蒸気は、主蒸気系配管３を経由してタービン４を回転させることで発電機（図示せず）を駆動して発電を行う。その後、タービン４を通過した蒸気は復水器５で冷却されて凝縮水となる。復水器５からの凝縮水は、復水ポンプ６を通過後、復水浄化設備７で浄化される。その後、給水として給水系配管１１を通過して、低圧給水加熱器８及び高圧給水加熱器１０で加熱され、給水ポンプ９により再び原子炉圧力容器２内に送水される。
また、原子炉圧力容器２内の原子炉水は、再循環ポンプ１７の駆動によって、再循環系配管１６を通過して、原子炉圧力容器２内を循環する。
【００２０】
また、原子炉圧力容器２の原子炉水中の不純物を取り除くために、原子炉圧力容器２の底部から第１の原子炉冷却材浄化系配管１２Ａ内に原子炉水が送水され、第１の原子炉冷却材浄化系配管１２Ａに接続された原子炉冷却材浄化系循環ポンプ１３を通過した原子炉水は、第１の原子炉冷却材浄化系配管１２Ａ内に設置された熱交換器１４で冷却されてから炉浄化系ろ過脱塩装置１５に送水され、この炉浄化系ろ過脱塩装置１５により原子炉水中の不純物が除去される。その後、再度熱交換器１４を通過して加熱されてから、第２の原子炉冷却材浄化系配管１２Ｂを介して給水系配管１１に送水される。
【００２１】
図２に、本実施例のＢＷＲプラントに適用される化学物質注入システム１８の概略構成の一例を示す。
【００２２】
本実施例での化学物質は、白金、パラジウム、ロジウム、オスミウム、ルテニウム及びイリジウムなどの水素酸化に寄与する白金族系の金属を含む化合物をいう。また、本実施例での化学物質中に含まれる不純物は、化学物質溶液中に含まれる化学物質と酸素、水素以外のカチオン或いはアニオンの一方又は両方を備える化学物質をいう。例えば、ヘキサヒドロキソ白金酸ナトリウムを化学物質として使用する場合、ナトリウムが不純物となる。
【００２３】
該図に示す如く、本実施例の化学物質注入システム１８は、化学物質溶液供給系統１９と純水供給系統２０及び化学物質溶液注入系統２１により構成されている。
【００２４】
化学物質溶液供給系統１９は、化学物質溶液を受入れる溶液タンク２２と、化学物質溶液を供給する注入ポンプ２３と、弁２４と、配管２５とで構成されている。そして、この化学物質溶液供給系統１９は、溶液タンク２２から注入ポンプ２３、弁２４の順に配管２５に接続され、注入ポンプ２３は、化学物質溶液の加圧を行い、化学物質溶液注入系統２１へ送液する。
【００２５】
また、純水供給系統２０は、減圧弁２６と、純水を加圧供給する純水供給ポンプ２７と、弁２８と、配管２９とで構成されている。そして、純水供給系統２０は、純水供給源から純水を受け入れ、減圧弁２６、純水供給ポンプ２７、弁２８の順に配管２９に接続されている。純水供給源としては、補給水系や脱イオン水などがある。
【００２６】
また、化学物質溶液注入系統２１は、不純物除去装置３１と、分散促進装置３２と、弁３３と、給水系へ供給する配管３０とで構成されている。
【００２７】
化学物質溶液注入系統２１は、化学物質溶液供給系統１９から化学物質溶液を受入れる配管２５と、純水供給系統２０から純水を受入れる配管２９が、配管３０に接続している。配管３０には、上流から不純物除去装置３１、分散促進装置３２、弁３３の順に接続され、給水系配管１１又は給水系配管１１に接続する直前の第２の原子炉冷却材浄化系配管１２Ｂへ注入される。
【００２８】
なお、本実施例では、化学物質溶液注入系統２１が不純物除去装置３１と分散促進装置３２の両方を備えているが、必ずしも両方の装置は必要なく、不純物除去装置３１を備えていれば、本発明の効果は達成される。
【００２９】
図３に、本実施例の不純物除去装置３１における不純物の除去を説明するための概念図を示す。
【００３０】
本実施例での不純物除去装置３１は、化学物質溶液中に含有する不純物を選択的に除去し、給水系配管１１又は給水系配管１１に接続する直前の第２の原子炉冷却材浄化系配管１２Ｂへ不純物混入を抑制する機能を有する。この不純物除去装置３１の一例として、イオン交換樹脂、イオン除去フィルタ、無機吸着体カラムなどがある。例えば、ヘキサヒドロキソ白金酸ナトリウムを化学物質として使用する場合、陽イオン（ナトリウムイオン）が不純物となる。
【００３１】
図３に示す如く、不純物除去装置３１として陽イオン交換樹脂３１Ａを使用する場合、化学物質溶液のＮａ＋３１Ｂが陽イオン交換樹脂３１Ａを通過すると、イオンの選択係数が水素イオンよりも大きい陽イオン（Ｎａ＋３１Ｃ）は、陽イオン交換樹脂３１Ａ中の水素イオン（Ｈ＋３１Ｄ）と交換されて、陽イオン交換樹脂３１Ａに吸着する。一方、陽イオン交換樹脂３１Ａから脱離した水素イオン（Ｈ＋３１Ｅ）は、原子炉水の解離平衡で炉水中に存在するイオンであり、その量と比較して、樹脂から脱離した水素イオン（Ｈ＋３１Ｅ）は少量であるため、水質に悪影響を及ぼさない。
【００３２】
また、白金イオン（Ｐｔ４＋）が陽イオン交換樹脂に吸着することが考えられるが、溶液中で白金イオンは、水酸化物イオンとＰｔ（ＯＨ）６２−の錯体を形成しているため、陽イオン交換樹脂を通過しても吸着する可能性は低い。
【００３３】
不純物除去装置３１としてイオン交換性能を維持するために、イオン交換樹脂の総イオン交換容量を、化学物質溶液中の不純物含有量よりも多くし、化学物質注入前にイオン交換樹脂を交換することが望ましい。
【００３４】
また、化学物質として、硝酸パラジウムを使用する場合、硝酸イオンが不純物となる。この不純物である硝酸イオンを取り除く不純物除去装置３１として、陰イオン交換樹脂を使用することで、同様に不純物を取り除くことができる。
【００３５】
また、分散促進装置３２は、物理的に配管内外から溶液を攪拌させるか、或いは不溶解性化学物質の疎水性相互作用を利用して、溶液中で析出した不溶解性化学物質を分散させる機能を有する。分散促進装置３２の一例として、マイクロバブル発生装置、配管内分散機、超音波分散器などがある。
【００３６】
分散促進装置３２として、マイクロバブル発生装置を使用する場合、疎水性となっている不溶性化学物質の粒子がマイクロバブルの表面に凝集することで、配管内面に付着することを抑制できる。
【００３７】
また、超音波分散器を分散促進装置３２として使用する場合、配管外部又は内部に設置する。そして、超音波で配管を振動させることで、不溶解性化学物質の配管への付着を抑制することができる。
【００３８】
なお、不溶解性化学物質が効率良く分散するために、マイクロバブルの注入量は、不溶解性化学物質の想定析出粒子数よりも、マイクロバブルの発生バブル数を増加させるように調整することが望ましい。
【００３９】
次に、本実施例の化学物質注入システム１８における化学物質溶液の注入の流れを、図２を用いて説明する。
【００４０】
先ず、化学物質溶液は、化学物質溶液供給系統１９の溶液タンク２２に注ぎ込まれ、注入ポンプ２３により加圧され、配管２５を経由して化学物質溶液注入系統２１に送液される。
【００４１】
純水供給系統２０では、純水供給源から減圧弁２６により減圧された純水が、純水供給ポンプ２７により、配管２８を経由して、化学物質溶液注入系統２１に供給される。
【００４２】
化学物質溶液注入系統２１では、化学物質溶液供給系統１９から供給された化学物質溶液と、純水供給系統２０から供給された純水を混合して希釈された化学物質溶液が、不純物除去装置３１と分散促進装置３２を経由して給水系配管１１又は給水系配管１１に接続する直前の第２の原子炉冷却材浄化系配管１２Ｂへ注入される。
【００４３】
次に、本実施例の化学物質注入システム１８における化学物質溶液注入の作業の流れを、図４を用いて説明する。
【００４４】
先ず、作業ステップ１では、弁２４、２８、３３、減圧弁２６の開閉状態を確認し、化学物質注入システム１８の構成を確認する。次に、純水のみを化学物質注入システム１８内で循環させ、化学物質注入システム１８が動作することを確認する。
【００４５】
作業ステップ２では、純水のみを給水系配管１１又は給水系配管１１に接続する直前の第２の原子炉冷却材浄化系配管１２Ｂへ注入する。この作業は、化学物質注入システム１８の健全性を確認すると共に、給水系配管１１又は給水系配管１１に接続する直前の第２の原子炉冷却材浄化系配管１２Ｂに接続する配管３０の温度を低下させることで、熱分解等による化学物質の析出を抑制する効果がある。注入時間は、注入配管の長さと注入速度に合わせて決定し、洗浄作業まで継続的に注入する。
【００４６】
作業ステップ３では、一定の注入速度で化学物質溶液を注入する。目標の注入量に達したら、化学物質溶液の注入を停止する。
【００４７】
作業ステップ４では、配管、化学物質注入システム内を純水により洗浄する。その後、各装置、配管をドレンし乾燥させる。作業ステップ５は、片付け作業である
以上説明した本実施例によれば、ＢＷＲプラントの原子炉水に不純物を除去した化学物質溶液を注入することで、原子炉水の導電率の上昇を抑止し、水質低下を防止することができる。更に、脱塩装置のろ過助材の劣化抑制（炉浄化系ろ過脱塩装置１５でのろ過量の増加抑制や放射性廃棄物量の増加を抑制することができる。また、析出した不溶解性化学物質が化学物質溶液中で効果的に分散させて炉内に注入することができると共に、注入配管内への付着を抑制することができる。
【００４８】
従って、原子炉水の導電率の上昇を抑止して炉水の水質低下を防止でき、ＳＣＣが進展しない効果がある。
【００４９】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５０】
１…原子炉格納容器、２…原子炉圧力容器、３…主蒸気系配管、４…タービン、５…復水器、６…復水ポンプ、７…復水浄化設備、８…低圧給水加熱器、９…給水ポンプ、１０…高圧給水加熱器、１１…給水系配管、１２Ａ…第１の原子炉冷却材浄化系配管、１２Ｂ…第２の原子炉冷却材浄化系配管、１３…原子炉冷却材浄化系循環ポンプ、１４…熱交換器、１５…炉浄化系ろ過脱塩装置、１６…再循環系配管、１７…再循環ポンプ、１８…化学物質注入システム、１９…化学物質溶液供給系統、２０…純水供給系統、２１…化学物質溶液注入系統、２２…溶液タンク、２３…注入ポンプ、２４、２８、３３…弁、２５、２９、３０…配管、２６…減圧弁、２７…純水供給ポンプ、３１…不純物除去装置、３２…分散促進装置。
【図１】
2014206511.tif 000003
【図２】
2014206511.tif 000004
【図３】
2014206511.tif 000005
【図４】
2014206511.tif 000006